(57)【特許請求の範囲】
【請求項１】
ポリ袋を掛けてゴミ箱として使用されるゴミ箱ホルダーであって、
伸縮自在の基部と、一対の側部と、それぞれが各側部の上側に位置しており、このポリ袋の口が掛けられるように構成された一対の係止部とを備えており、
この基部が、ガイドと、このガイドに対して摺動しうるスライダとを備えており、
上記ガイドがレールを備えており、
このレールがこのガイドの縁に設けられており、
このレールが上記スライダの縁が嵌め合わされる溝を有しており、
一の側部が、上記ガイドの一端から上向きに延在しており、
他の側部が、このスライダの他端から上向きに延在しており、
上記一の側部が、上記スライダが通過しうる開口を備えており、
上記他の側部が、上記レールが通過しうる第一切欠きを備えており、
両側部が近接する方向に動くことにより、上記スライダが上記開口を通過し、上記レールが上記第一切欠きを通過するゴミ箱ホルダー。
【請求項２】
上記スライダが第二切欠きを有しており、
この第二切欠きにより、このスライダには２つのブレードが設けられており、
上記一の側部が、上記開口を２つ備えており、それぞれの開口を上記２つのブレードのそれぞれが通過するように構成されており、
上記第二切欠きの底が上記一の側部に当接したとき、両側部間の距離が最小となる、請求項１に記載のゴミ箱ホルダー。
【請求項３】
ポリ袋と、ゴミ箱ホルダーとを備えており、
このゴミ箱ホルダーが、伸縮自在の基部と、一対の側部と、それぞれが各側部の上側に位置しており、このポリ袋の口が掛けられるように構成された一対の係止部とを備えており、
この基部が、ガイドと、このガイドに対して摺動しうるスライダとを備えており、
上記ガイドがレールを備えており、
このレールがこのガイドの縁に設けられており、
このレールが上記スライダの縁が嵌め合わされる溝を有しており、
一の側部が、上記ガイドの一端から上向きに延在しており、
他の側部が、このスライダの他端から上向きに延在しており、
上記一の側部が、上記スライダが通過しうる開口を備えており、
上記他の側部が、上記レールが通過しうる第一切欠きを備えており、
両側部が近接する方向に動くことにより、上記スライダが上記開口を通過し、上記レールが上記第一切欠きを通過するゴミ箱。
【請求項４】
上記スライダが第二切欠きを有しており、
この第二切欠きにより、このスライダには２つのブレードが設けられており、
上記一の側部が、上記開口を２つ備えており、それぞれの開口を上記２つのブレードのそれぞれが通過するように構成されており、
上記第二切欠きの底が上記一の側部に当接したとき、両側部間の距離が最小となる、請求項３に記載のゴミ箱。
【発明の詳細な説明】
【技術分野】
【０００１】
本発明は、生ゴミ、紙くず等を廃棄するためのゴミ箱に関する。
【背景技術】
【０００２】
調理時に生じる、野菜、果物、魚、肉から生じる生ゴミは、台所に置いてあるゴミ箱又はシンクの片隅に配された三角コーナーに投入される。ゴミ箱又は三角コーナーに溜められた生ゴミは、より大きなゴミ箱に投入され、他のゴミと共に廃棄される。
【０００３】
生ゴミをゴミ箱に投入するとき、この生ゴミに含まれる汁が床にこぼれることがある。この場合、このこぼれた汁により床が汚れてしまう。
【０００４】
スーパー等で購入した品物を家庭に持ち帰るために、ポリ袋が利用されることがある。この持ち帰ったポリ袋は、そのまま廃棄されることが多い。環境保護に対する意識の高まりから、この持ち帰ったポリ袋の、他の用途への利用を検討する家庭が増えている。この他の用途として、上記生ゴミの廃棄への利用が挙げられる。
【０００５】
汁による床の汚れの防止及び環境保護の観点から、ポリ袋をシンクに配し、このポリ袋に生ゴミを投入することがある。ポリ袋は柔軟なので、このポリ袋の口を開けても、この口はすぐに閉じてしまう。生ゴミをポリ袋に投入する度にこのポリ袋の口を開かなければならないので、ポリ袋への生ゴミの投入は煩雑である。
【０００６】
煩雑さの解消の観点から、その口を開けた状態でポリ袋を保持しうるゴミ箱ホルダーが検討されている。この検討の一例が、実公昭５７−３４１６１号公報に開示されている。この公報には、長方形の形状の針金をコの字形状に折り曲げ、この長方形の短辺部であってコの字形の開口部に相当する部分に、ポリ袋の口を引っ掛けるように構成された針金ゴミ箱が示されている。
【先行技術文献】
【特許文献】
【０００７】
【特許文献１】実公昭５７−３４１６１号公報
【発明の概要】
【発明が解決しようとする課題】
【０００８】
その口を開けた状態でポリ袋を保持するために、三角コーナーの縁にポリ袋を掛けることがある。三角コーナーは、一定の形を有するものである。小さなポリ袋を使用すると、三角コーナーの縁にポリ袋を掛けることができない場合がある。三角コーナーにポリ袋を配して生ゴミを集める場合、使用可能なポリ袋の大きさが制限されるという問題がある。上記公報に記載のゴミ箱ホルダーにおいても、同様の問題がある。
【０００９】
本発明はこのような情勢に鑑みてなされたものであり、様々な大きさのポリ袋の使用が可能なゴミ箱ホルダー及びこれを用いたゴミ箱の提供を目的としている。
【課題を解決するための手段】
【００１０】
本発明に係るゴミ箱ホルダーは、ポリ袋を掛けてゴミ箱として使用される。このゴミ箱ホルダーは、伸縮自在の基部と、一対の側部と、それぞれが各側部の上側に位置しており、このポリ袋の口が掛けられるように構成された一対の係止部とを備えている。この基部は、ガイドと、このガイドに対して摺動しうるスライダとを備えている。一の側部は、このガイドの一端から上向きに延在している。他の側部は、このスライダの他端から上向きに延在している。
【００１１】
好ましくは、このゴミ箱ホルダーでは、上記ガイドはパイプを備えている。上記スライダは、このパイプを通過しうるバーを備えている。
【００１２】
好ましくは、このゴミ箱ホルダーでは、上記ガイドは上記スライドの縁が嵌め合わされる溝を備えている。上記一の側部は、このスライダが通過しうる開口を備えている。上記他の側部は、このガイドが通過しうる切欠きを備えている。
【００１３】
本発明に係るゴミ箱は、ポリ袋と、ゴミ箱ホルダーとを備えている。このゴミ箱ホルダーは、伸縮自在の基部と、一対の側部と、それぞれが各側部の上側に位置しており、このポリ袋の口が掛けられるように構成された一対の係止部とを備えている。この基部は、ガイドと、このガイドに対して摺動しうるスライダとを備えている。一の側部は、このガイドの一端から上向きに延在している。他の側部は、このスライダの他端から上向きに延在している。
【発明の効果】
【００１４】
本発明に係るゴミ箱ホルダーは、伸縮自在な基部を備えるので、様々な大きさのポリ袋に適用できる。このゴミ箱ホルダー及びポリ袋で構成されるゴミ箱は、生ゴミの汁による床の汚れを効果的に防止しつつ、ポリ袋の有効活用を図ることができる。このゴミ箱の利用は、環境保護に貢献しうる。
【図面の簡単な説明】
【００１５】
【図１】図１は、本発明の一実施形態に係るゴミ箱ホルダーが示された斜視図である。
【図２】図２は、図１のゴミ箱ホルダーの使用状況が示された正面図である。
【図３】図３は、図１のゴミ箱ホルダーの他の使用状況が示された正面図である。
【図４】図４は、本発明の他の実施形態に係るゴミ箱ホルダーが示された斜視図である。
【図５】図５は、図４のゴミ箱ホルダーの使用状況が示された正面図である。
【図６】図６は、図４のゴミ箱ホルダーの他の使用状況が示された正面図である。
【発明を実施するための形態】
【００１６】
以下、適宜図面が参照されつつ、好ましい実施形態に基づいて本発明が詳細に説明される。
【００１７】
図１及び図２に示されたゴミ箱ホルダー２は、ポリ袋４を掛けてゴミ箱として使用される。図２において、二点鎖線で示されているのがポリ袋４である。このポリ袋４としては、市販されているもの以外に、スーパー等で購入した品物を家庭に持ち帰るために使用されたものが挙げられる。なお、図１において、両矢印Ａがこのゴミ箱ホルダー２の幅方向であり、両矢印Ｂがこのゴミ箱ホルダー２の長さ方向である。図２においては、その左右方向が長さ方向である。
【００１８】
ゴミ箱ホルダー２は、基部６と、一対の側部８と、一対の係止部１０とを備えている。基部６は、スライダ１２と、ガイド１３とを備えている。スライダ１２は、プレートからなる。このゴミ箱ホルダー２では、スライダ１２は、長さ方向に延在する切欠き１４を有している。この切欠き１４は、スライダ１２の幅方向中心に位置している。このスライダ１２には、この切欠き１４により、２つのブレード１５が設けられている。各ブレード１５は、長さ方向に延在している。
【００１９】
ガイド１３は、一対のレール１６を備えている。これらレール１６のそれぞれは、このガイド１３の縁に設けられている。各レール１６は、長さ方向に延在している。レール１６の断面は、鍵状を呈している。このレール１６は、溝１８を有している。
【００２０】
一対の側部８のうち、側部８ａは、ガイド１３の一端２０から上向きに延在している。この側部８ａは、矩形のプレートからなる。この側部８ａは、その下側に開口２２を備えている。図示されているように、このゴミ箱ホルダー２では、２つの開口２２が設けられている。各開口２２は、幅方向に延在している。左右の開口２２の間の部分は、側部８ａの強度に寄与しうる。
【００２１】
側部８ｂは、スライダ１２の他端２４から上向きに延在している。この側部８ｂは、矩形のプレートからなる。この側部８ｂは、その下側に一対の切欠き２６を備えている。これら切欠き２６は、幅方向に離間して配置されている。各切欠き２６は、側部８の縁から幅方向内向きに延在している。
【００２２】
係止部１０は、矩形のプレートからなる。係止部１０は、側部８の上側に位置している。係止部１０は、側部８から上方に向かって長さ方向外向きに傾斜して延在している。このゴミ箱ホルダー２では、係止部１０は側部８と一体的に形成されている。
【００２３】
図２に示されているように、このゴミ箱ホルダー２では、ポリ袋４の口は係止部１０に掛けられる。これにより、ポリ袋４がその口が開いた状態で保持される。このゴミ箱ホルダー２とポリ袋４とから構成されるゴミ箱では、調理時に、野菜、果物、魚、肉等から生じる生ゴミの、ポリ袋４への投入が容易である。生ゴミの投入の度にポリ袋４の口を開ける必要がないので、調理者は煩わしさを覚えることなく調理作業を実施しうる。
【００２４】
このゴミ箱ホルダー２では、係止部１０が外向きに傾斜している。この係止部１０は、ポリ袋４の開口状態を効果的に保持しうる。このゴミ箱によれば、生ゴミの投入の度に、ポリ袋４の口を開ける必要がない。ポリ袋４の口を大きく開けることができるので、生ゴミの、このポリ袋４への投入は容易である。このゴミ箱によれば、調理者は煩わしさを覚えることなく調理作業を実施しうる。
【００２５】
このゴミ箱では、生ゴミはポリ袋４に溜められる。生ゴミは、このポリ袋４の中に入れられた状態で廃棄される。調理者は、手を汚すことなく生ゴミを廃棄できる。ゴミ箱ホルダー２が汚れないので、ゴミ箱ホルダー２の洗浄は不要である。廃棄の際に、生ゴミに含まれる汁が床にこぼれることはない。このゴミ箱によれば、汁による床の汚れが効果的に防止されうる。このゴミ箱が配置された調理場は、清潔である。
【００２６】
このゴミ箱ホルダー２では、ガイド１３に設けられたレール１６の溝１８に、スライダ１２の縁が嵌め合わされる。より詳細には、スライダ１２に設けられたブレード１５の幅方向外側に位置する縁が、この溝１８に嵌め合わされる。スライダ１２は、このガイド１３の他端２８の側からこの溝１８に挿入される。スライダ１２は、このレール１６に沿って動きうる。スライダ１２は、このガイド１３に対して長さ方向に摺動しうる。スライダ１２及びガイド１３から構成される基部６は、伸縮自在である。
【００２７】
このゴミ箱ホルダー２では、側部８ａに設けられた開口２２の形状は、スライダ１２に設けられたブレード１５の形状に対応している。側部８ｂに設けられた切欠き２６の形状は、レール１６の形状に対応している。このゴミ箱ホルダー２では、両側部８が近接する方向にスライダ１２が動くと、スライダ１２に設けられたブレード１５がこの開口２２を通過し、レール１６がこの切欠き２６を通過しうる。このゴミ箱ホルダー２では、スライダ１２に設けられた切欠き１４の底２９が側部８ａに当接するまで、このスライダ１２がガイド１３に対して動きうる。
【００２８】
図３には、このゴミ箱ホルダー２の他の使用状況が示されている。このゴミ箱ホルダー２では、スライダ１２をガイド１３に対して摺動させて、図２に示されたゴミ箱ホルダー２よりも、両側部８の間隔が狭められている。このゴミ箱ホルダー２には、図２に示されたポリ袋４ａよりも小さなポリ袋４ｂが掛けられている。小さなポリ袋４ｂの使用により、小さなゴミ箱が構成されている。
【００２９】
このゴミ箱ホルダー２では、スライダ１２の、ガイド１３に対する摺動により、両側部８の間の距離が適切に調整されうる。この調整により、このゴミ箱ホルダー２には、様々な大きさのポリ袋４が掛けられる。このゴミ箱ホルダー２によれば、ポリ袋４の大きさに合わせてゴミ箱の大きさを自由に変えることができる。このゴミ箱は、ポリ袋４の有効活用を図ることができる。このゴミ箱の利用は、環境保護に貢献しうる。
【００３０】
図２において、両矢印ＤＡは、両側部８の間の距離を示している。この距離ＤＡは、側部８ａの内面３０ａから側部８ｂの内面３０ｂまでの距離により表される。両矢印Ｄ１は、ガイド１３の長さを示している。この長さＤ１は、ガイド１３の一端２０から他端２８までの長さにより表される。両矢印Ｄ２は、スライダ１２の長さを示している。この長さＤ２は、スライダ１２の一端３２から他端２４までの長さにより表される。
【００３１】
前述したように、スライダ１２は、その切欠き１４の底２９が側部８ａに当接するまで、ガイド１３に対して動きうる。このゴミ箱ホルダー２では、この切欠き１４の底２９が側部８ａに当接したとき、距離ＤＡは最小となる。この距離ＤＡの最小値は、切欠き１４の底２９から側部８ｂの内面３０ｂまでの距離（図２において両矢印ＤＢで示された距離）である。適切な容量のゴミ箱が構成されうるという観点から、この距離ＤＢは５０ｍｍ以上とされるのが好ましい。なお、この切欠き１４が設けられない場合は、スライダ１２は両側部８が当接するまで動きうる。この場合、両側部８が当接したとき、距離ＤＡは最小となり、この距離ＤＡの最小値は０ｍｍである。
【００３２】
このゴミ箱ホルダー２では、スライダ１２がガイド１３から離間する直前において、距離ＤＡは最大となる。適切な容量のゴミ箱が構成されうるという観点から、この距離ＤＡの最大値は１００ｍｍ以上とされるのが好ましい。適切な大きさのゴミ箱が構成されうるという観点から、この距離ＤＡの最大値は、３００ｍｍ以下とされるのが好ましい。
【００３３】
このゴミ箱ホルダー２では、その仕様に応じてガイド１３の長さＤ１及びスライダ１２の長さＤ２が適宜決められる。適切な容量のゴミ箱が構成されうるという観点から、長さＤ１は５０ｍｍ以上が好ましい。適切な大きさのゴミ箱が構成されうるという観点から、この長さＤ１は、２００ｍｍ以下が好ましい。適切な容量のゴミ箱が構成されうるという観点から、長さＤ２は５０ｍｍ以上が好ましい。適切な大きさのゴミ箱が構成されうるという観点から、この長さＤ２は、２００ｍｍ以下が好ましい。
【００３４】
図１において、両矢印Ｗはゴミ箱ホルダー２の幅を示している。図２において、両矢印Ｈはこのゴミ箱ホルダー２の高さを示している。
【００３５】
このゴミ箱ホルダー２では、適切な容量のゴミ箱が構成されうるという観点から、幅Ｗは８０ｍｍ以上が好ましい。適切な大きさのゴミ箱が構成されうるという観点から、この幅Ｗは、１２０ｍｍ以下が好ましい。
【００３６】
このゴミ箱ホルダー２では、適切な容量のゴミ箱が構成されうるという観点から、高さＨは８０ｍｍ以上が好ましい。適切な大きさのゴミ箱が構成されうるという観点から、この高さＨは、１６０ｍｍ以下が好ましい。
【００３７】
このゴミ箱ホルダー２の材質としては、金属及び合成高分子が例示される。金属としては、耐食性の観点から、アルミニウム合金及びステンレススチールが好ましい。特に好ましくは、ステンレススチールである。合成高分子としては、強度及び加工性の観点から、熱可塑性高分子が好ましい。この熱可塑性高分子としては、ポリ塩化ビニル、ポリスチレン、ポリエチレン、ポリプロピレン及びナイロンが例示される。
【００３８】
図４及び図５に示されているのは、本発明の他の実施形態に係るゴミ箱ホルダー３４である。このゴミ箱ホルダー３４は、図１に示されたゴミ箱ホルダー２と同様、ポリ袋４を掛けてゴミ箱として使用される。図５において、二点鎖線で示されているのがポリ袋４である。なお、図４において、両矢印Ａがこのゴミ箱ホルダー３４の幅方向であり、両矢印Ｂがこのゴミ箱ホルダー３４の長さ方向である。図５においては、その左右方向が長さ方向である。
【００３９】
ゴミ箱ホルダー３４は、基部３６と、一対の側部３８と、一対の係止部４０とを備えている。基部３６は、スライダ４２と、ガイド４４とを備えている。スライダ４２は、幅方向に延在する第一バー４６と、それぞれがこの第一バー４６の端から長さ方向に延在する一対の第二バー４８とから構成されている。ガイド４４は、幅方向に延在する第三バー５０と、それぞれがこの第三バー５０の端から長さ方向に延在する一対のパイプ５２とから構成されている。
【００４０】
一対の側部３８のうち、側部３８ａは、ガイド４４の一端５４から上向きに延在している。このゴミ箱ホルダー３４では、この側部３８ａは、ガイド４４を構成する一対のパイプ５２のそれぞれから上向きに延在する一対の第四バー５６から構成されている。側部３８ｂは、スライダ４２の他端５８から上向きに延在している。この側部３８ｂは、スライダ４２を構成する一対の第二バー４８のそれぞれから上向きに延在する一対の第五バー６０から構成されている。
【００４１】
係止部４０は、幅方向に延在する第六バー６２からなる。このゴミ箱ホルダー３４では、係止部４０ａは、側部３８ａの外面６４ａにおいて、第六バー６２ａが側部３８ａを構成する一対の第四バー５６を架け渡すことにより構成されている。係止部４０ｂは、側部３８ｂの外面６４ｂにおいて、第六バー６２ｂが側部３８ｂを構成する一対の第五バー６０を架け渡すことにより構成されている。
【００４２】
このゴミ箱ホルダー３４では、第一バー４６、第二バー４８、第三バー５０、第四バー５６、第五バー６０及び第六バー６２のそれぞれは角棒からなり、パイプ５２は角パイプ５２からなる。なお、この第一バー４６、第二バー４８、第三バー５０、第四バー５６、第五バー６０及び第六バー６２のそれぞれが丸棒から構成されてもよい。この場合、パイプ５２は丸パイプから構成される。
【００４３】
図５に示されているように、このゴミ箱ホルダー３４では、ポリ袋４の口は係止部４０に掛けられる。これにより、ポリ袋４がその口が開いた状態で保持される。このゴミ箱ホルダー３４とポリ袋４とから構成されるゴミ箱では、調理時に生じる、生ゴミの、ポリ袋４への投入が容易である。生ゴミの投入の度にポリ袋４の口を開ける必要がないので、調理者は煩わしさを覚えることなく調理作業を実施しうる。
【００４４】
このゴミ箱ホルダー３４では、係止部４０は側部３８の上側においてこの側部３８の外面６４から突出している。この係止部４０は、ポリ袋４の開口状態を効果的に保持しうる。このゴミ箱によれば、生ゴミの投入の度に、ポリ袋４の口を開ける必要がない。ポリ袋４の口を大きく開けることができるので、生ゴミの、このポリ袋４への投入は容易である。このゴミ箱によれば、調理者は煩わしさを覚えることなく調理作業を実施しうる。
【００４５】
このゴミ箱では、生ゴミはポリ袋４に溜められる。生ゴミは、このポリ袋４の中に入れられた状態で廃棄される。調理者は、手を汚すことなく生ゴミを廃棄できる。ゴミ箱ホルダー３４が汚れないので、廃棄の際の洗浄が不要である。この廃棄の際に、この生ゴミに含まれる汁が床にこぼれることはない。このゴミ箱によれば、汁による床の汚れが効果的に防止されうる。このゴミ箱が配置された調理場は、清潔である。
【００４６】
図示されているように、各第二バー４８は各パイプ５２に挿入されている。第二バー４８は、パイプ５２に対して摺動しうる。このゴミ箱ホルダー３４の基部３６は、スライダ４２がガイド４４に対して摺動しうるように構成されている。この基部３６は、伸縮自在である。
【００４７】
図６には、このゴミ箱ホルダー３４の他の使用状況が示されている。このゴミ箱ホルダー３４では、スライダ４２をガイド４４に対して摺動させて、図５に示されたゴミ箱ホルダー３４よりも、両側部３８の間隔が狭められている。このゴミ箱ホルダー３４には、図５に示されたポリ袋４ａよりも小さなポリ袋４ｂが掛けられている。小さなポリ袋４ｂの使用により、小さなゴミ箱が構成されている。
【００４８】
このゴミ箱ホルダー３４では、スライダ４２の、ガイド４４に対する摺動により、両側部３８の間の距離が適切に調整されうる。この調整により、このゴミ箱ホルダー３４には、様々な大きさのポリ袋４が掛けられる。このゴミ箱ホルダー３４によれば、ポリ袋４の大きさに合わせてゴミ箱の大きさを変えることができる。このゴミ箱ホルダー３４及びポリ袋４で構成されるゴミ箱は、生ゴミの汁による床の汚れを効果的に防止しつつ、ポリ袋４の有効活用を図ることができる。このゴミ箱の利用は、環境保護に貢献しうる。
【００４９】
図５において、両矢印ＤＡは、両側部３８の間の距離を示している。この距離ＤＡは、側部３８ａの内面６６ａから側部３８ｂの内面６６ｂまでの距離により表される。両矢印Ｄ１は、ガイド４４の長さを示している。この長さＤ１は、ガイド４４の一端５４から他端６８までの長さにより表される。両矢印Ｄ２は、スライダ４２の長さを示している。この長さＤ２は、スライダ４２の一端７０から他端５８までの長さにより表される。
【００５０】
このゴミ箱ホルダー３４では、図６に示されているように、第五バー６０がパイプ５２に当接したとき、両側部３８の間の距離ＤＡは最小となる。この距離ＤＡの最小値は、側部３８ａの内面６６ａからガイド４４の他端６８までの距離（図５において両矢印ＤＢで示された距離）である。適切な容量のゴミ箱が構成されうるという観点から、この距離ＤＢは５０ｍｍ以上とされるのが好ましい。
【００５１】
このゴミ箱ホルダー３４では、距離ＤＡは、スライダ４２がガイド４４から離間する直前において、最大となる。このゴミ箱ホルダー３４では、適切な容量のゴミ箱が構成されうるという観点から、この距離ＤＡの最大値は１００ｍｍ以上とされるのが好ましい。適切な大きさのゴミ箱が構成されうるという観点から、この距離ＤＡの最大値は、４００ｍｍ以下とされるのが好ましい。
【００５２】
このゴミ箱ホルダー３４では、その仕様に応じて、ガイド４４の長さＤ１及びスライダ４２の長さＤ２が適宜決められる。適切な容量のゴミ箱が構成されうるという観点から、長さＤ１は５０ｍｍ以上が好ましい。適切な大きさのゴミ箱が構成されうるという観点から、この長さＤ１は、１００ｍｍ以下が好ましい。適切な容量のゴミ箱が構成されうるという観点から、長さＤ２は５０ｍｍ以上が好ましい。適切な大きさのゴミ箱が構成されうるという観点から、この長さＤ２は、２００ｍｍ以下が好ましい。
【００５３】
図４において、両矢印Ｗはゴミ箱ホルダー３４の幅を示している。図５において、両矢印Ｈはこのゴミ箱ホルダー３４の高さを表している。
【００５４】
このゴミ箱ホルダー３４では、適切な容量のゴミ箱が構成されうるという観点から、幅Ｗは８０ｍｍ以上が好ましい。適切な大きさのゴミ箱が構成されうるという観点から、この幅Ｗは、１２０ｍｍ以下が好ましい。
【００５５】
このゴミ箱ホルダー３４では、適切な容量のゴミ箱が構成されうるという観点から、高さＨは８０ｍｍ以上が好ましい。適切な大きさのゴミ箱が構成されうるという観点から、この高さＨは、１６０ｍｍ以下が好ましい。
【００５６】
このゴミ箱ホルダー３４の材質としては、金属及び合成高分子が例示される。金属としては、耐食性の観点から、アルミニウム合金及びステンレススチールが好ましい。特に好ましくは、ステンレススチールである。合成高分子としては、強度及び加工性の観点から、熱可塑性高分子が好ましい。この熱可塑性高分子としては、ポリ塩化ビニル、ポリスチレン、ポリエチレン、ポリプロピレン及びナイロンが例示される。
【産業上の利用可能性】
【００５７】
以上説明されたゴミ箱ホルダーは、様々なゴミ箱にも適用されうる。
【符号の説明】
【００５８】
２、３４・・・ゴミ箱ホルダー
４・・・ポリ袋
６、３６・・・基部
８、３８・・・側部
１０、４０・・・係止部
１２、４２・・・スライダ
１３、４４・・・ガイド
１６・・・レール
２２・・・開口
２６・・・切欠き
４８・・・第二バー
５２・・・パイプ
【図１】
0005537169.tif 000002
【図２】
0005537169.tif 000003
【図３】
0005537169.tif 000004
【図４】
0005537169.tif 000005
【図５】
0005537169.tif 000006
【図６】
0005537169.tif 000007